(57)【要約】　　　（修正有）【課題】より効果的に扉の施解錠を行うことが可能な電子施解錠装置を提供する。【解決手段】電子施解錠装置の制御部３３は、通信部３１により抽出されたコードと、認証コードとが一致しているか否かを判別し、当該コードが一致していると判別した場合には、施解錠部３２に対し解錠動作信号を出力する解錠出力手段と、解錠動作信号の出力から施錠動作設定時間経過後に、施解錠部３２に対し施錠動作信号を出力する施錠出力手段とを備え、解錠出力手段は、解錠動作信号の出力から施錠動作信号の出力までの間に、開放感知部により扉の開放が感知されない場合には、施錠動作信号の出力から解錠動作設定時間経過後に、施解錠部３２に対し解錠動作信号を出力する。【選択図】　図２
2004137762.tif 000002
【特許請求の範囲】
【請求項１】
電話回線に接続され当該電話回線を介して通信端末から送信された電気信号を受信し当該電気信号に含まれるコードを抽出する通信部と、扉の施解錠を行う施解錠部と、前記施解錠部の施解錠動作を制御する制御部と、認証コード、施錠動作設定時間及び解錠動作設定時間を記憶する記憶部と、前記扉の開放を感知する開放感知部と、を備えた電子施解錠装置であって、
前記制御部は、
前記通信部により抽出された前記コードと、前記認証コードとが一致しているか否かを判別し、当該コードが一致していると判別した場合には、前記施解錠部に対し解錠動作信号を出力する解錠出力手段と、
前記解錠動作信号の出力から前記施錠動作設定時間経過後に、前記施解錠部に対し施錠動作信号を出力する施錠出力手段と、を備え、
前記解錠出力手段は、前記解錠動作信号の出力から前記施錠動作信号の出力までの間に、前記開放感知部により扉の開放が感知されない場合には、前記施錠動作信号の出力から前記解錠動作設定時間経過後に、前記施解錠部に対し解錠動作信号を出力することを特徴とする電子施解錠装置。
【請求項２】
請求項１に記載の電子施解錠装置において、
前記施解錠部の施錠動作の異常を感知する異常感知部をさらに備え、
前記施錠出力手段は、前記異常感知部により前記施錠動作の異常が感知された場合には、前記施錠動作信号を所定回数出力することによりリトライを行うことを特徴とする電子施解錠装置。
【請求項３】
請求項１または２に記載の電子施解錠装置において、
前記通信部、前記施解錠部、前記制御部、前記記憶部及び前記開放検知部には、外部ＡＣ電源から電力供給がなされるとともに、当該外部ＡＣ電源からの電気を充電する充電器をさらに備え、
当該充電器は、前記外部ＡＣ電源からの電力供給が不能になった場合に、前記通信部、前記施解錠部、前記制御部、前記記憶部及び前記開放検知部に対して電力供給を行うことを特徴とする電子施解錠装置。
【請求項４】
前記扉は、建物若しくは部屋の入口に設けられ、
前記電子施解錠装置は、前記建物の入口内側に設置されることを特徴とする請求項１乃至３の何れか一項に記載の電子施解錠装置。
【発明の詳細な説明】
【０００１】
【発明の属する技術分野】
本発明は、電話回線を利用した扉の施解錠システム等の技術分野に属する。
【０００２】
【従来の技術】
【特許文献１】特開平１０−２９２６８８号公報
【特許文献２】特開２００２−１０６２２２号公報
従来より、電話回線を利用した扉の施解錠システム等が種々提案されている。例えば、特許文献１には、電話回線を介して主電話機と通話状態にある携帯電話機がユーザからの操作に基づいて、扉に取り付けられた錠前装置に電話回線を介して施解錠信号を送信することにより扉を施錠または解錠する施解錠システムが開示されている。この施解錠システムでは、携帯電話機から施錠または解錠のキーとなる暗証番号を入力し、その暗証番号の照合によって扉の施錠または解錠を行うようになっている。
【０００３】
一方、特許文献２には、ユーザがそのような暗証番号を忘れてしまった場合を考慮して、扉に取り付けられた錠前装置が、その近くに置かれた携帯電話機の着信時に発せられる電磁波を検出すると、扉を解錠する解錠システムが開示されている。
【０００４】
【発明が解決しようとする課題】
ところで、このような従来のシステムでは、当然のことながら、ユーザが帰宅し自宅入口の扉の前で、携帯電話機により扉の施解錠を行うことを想定している。
【０００５】
しかしながら、例えば、携帯電話機の電源が切れてしまったり、ユーザが携帯電話機を会社に忘れてしまった場合、ユーザは、扉の解錠を行うことができないという不都合が生じることになる。かといって、ユーザが会社の電話機から電話して扉を解錠するのでは、ユーザは扉の前にいないため、当該システムの意味がなくなってしまう。
【０００６】
そこで、本発明は、上記課題に鑑みてなされたものであり、より効果的に扉の施解錠を行うことが可能な電子施解錠装置を提供することを目的とする。
【０００７】
【課題を解決するための手段】
上記課題を解決するため、請求項１記載の発明は、電話回線に接続され当該電話回線を介して通信端末から送信された電気信号を受信し当該電気信号に含まれるコードを抽出する通信部と、扉の施解錠を行う施解錠部と、前記施解錠部の施解錠動作を制御する制御部と、認証コード、施錠動作設定時間及び解錠動作設定時間を記憶する記憶部と、前記扉の開放を感知する開放感知部と、を備えた電子施解錠装置であって、前記制御部は、前記通信部により抽出された前記コードと、前記認証コードとが一致しているか否かを判別し、当該コードが一致していると判別した場合には、前記施解錠部に対し解錠動作信号を出力する解錠出力手段と、前記解錠動作信号の出力から前記施錠動作設定時間経過後に、前記施解錠部に対し施錠動作信号を出力する施錠出力手段と、を備え、前記解錠出力手段は、前記解錠動作信号の出力から前記施錠動作信号の出力までの間に、前記開放感知部により扉の開放が感知されない場合には、前記施錠動作信号の出力から前記解錠動作設定時間経過後に、前記施解錠部に対し解錠動作信号を出力することを特徴とする。
【０００８】
請求項１記載の発明によれば、解錠動作信号の出力（自動解錠）から施錠動作信号の出力（自動施錠）までの間に、開放感知部により扉の開放が感知されない場合、つまり、ユーザが扉の前で携帯電話機等の通信端末を操作して暗証番号等の認証コードを入力するのではなく、例えば、自宅から数分離れた公衆電話機等の通信端末を操作して暗証番号等の認証コードを入力した場合には、施錠動作信号の出力から解錠動作設定時間（例えば、数分）経過後に、施解錠部に対し解錠動作信号が出力され、扉の解錠が行われる。
【０００９】
従って、携帯電話機の電源が切れてしまったり、ユーザが携帯電話機を会社に忘れてしまった場合等にも、ユーザは、公衆電話機等から電子施解錠装置に電話をかけて認証コードを入力すれば、丁度、ユーザが帰宅した際に扉の解錠が行われるようにすることができる。また、ユーザが扉の前で携帯電話機を操作して認証コードを入力した場合は、直ぐに扉の解錠が行われる。つまり、本電子施解錠装置は、ユーザが扉の前で携帯電話機から認証コードを入力する場合と、ユーザが自宅から数分離れた公衆電話機等から認証コードを入力する場合のそれぞれの状況にあった、より効果的な扉の施解錠を行うことができる。
【００１０】
請求項２記載の発明は、請求項１に記載の電子施解錠装置において、前記施解錠部の施錠動作の異常を感知する異常感知部をさらに備え、前記施錠出力手段は、前記異常感知部により前記施錠動作の異常が感知された場合には、前記施錠動作信号を所定回数出力することによりリトライを行うことを特徴とする。
【００１１】
請求項２記載の発明によれば、扉の施錠動作の一過性の異常があった場合にも、確実に扉の施錠（自動施錠）を行うことができるので、信頼性を向上させることができる。
【００１２】
請求項３記載の発明は、請求項１または２に記載の電子施解錠装置において、前記通信部、前記施解錠部、前記制御部、前記記憶部及び前記開放検知部には、外部ＡＣ電源から電力供給がなされるとともに、当該外部ＡＣ電源からの電気を充電する充電器をさらに備え、当該充電器は、前記外部ＡＣ電源からの電力供給が不能になった場合に、前記通信部、前記施解錠部、前記制御部、前記記憶部及び前記開放検知部に対して電力供給を行うことを特徴とする。
【００１３】
請求項３記載の発明によれば、停電等により、前記外部ＡＣ電源からの電力供給が不能になった場合にも、充電器から各構成要素に対し電力供給ができるので、停電等の際に、扉の施解錠が実行されないことを防止することができる。
【００１４】
請求項４記載の発明は、請求項１乃至３の何れか一項に記載の電子施解錠装置において、前記扉は、建物若しくは部屋の入口に設けられ、前記電子施解錠装置は、前記建物若しくは部屋の入口内側に設置されることを特徴とする。
【００１５】
請求項４記載の発明によれば、建物若しくは部屋の外から他人が電子施解錠装置に触れること等を防止することができる。
【００１６】
【発明の実施の形態】
以下、本発明の好適な実施の形態を添付図面に基づいて説明する。なお、以下の説明は、施解錠システムに対して本発明の電子施解錠装置を適用した場合の一実施形態である。
【００１７】
先ず、本実施形態にかかる施解錠システムＳの構成について説明する。
【００１８】
図１は、施解錠システムＳの概要構成例を示す図である。図１に示すように、施解錠システムＳは、固定設置された公衆電話機１と、該システムＳのユーザにより携帯される携帯電話機２と、該ユーザの自宅やオフィス等の建物、建物内の各部屋（マンションを含む）の入口内側（玄関）の扉の開口部分（扉側若しくは建物側）に取り付けられる電子施解錠装置３と、を含んで構成されている。公衆電話機１及び電子施解錠装置３は電話回線４に接続されており、公衆電話機１は、電子施解錠装置３と通信可能になっている。また、携帯電話機２は、図示しない無線基地局及び交換局等を介して電話回線４に接続し電子施解錠装置３と通信可能になっている。なお、電話回線４は、アナログ回線、ディジタル回線（ＩＳＤＮ等）、移動体通信回線等を含む広い意味である。
【００１９】
なお、公衆電話機１及び携帯電話機２は、本願の上記通信端末の一例であり、これに限定されるものではなく、例えば、家庭に固定設置された電話機やパーソナルコンピュータ、或いは、ＰＨＳ（Ｐｅｒｓｏｎａｌ　Ｈａｎｄｙ　ｐｈｏｎｅ　Ｓｙｓｔｅｍ）、ＰＤＡ（Ｐｅｒｓｏｎａｌ　Ｄｉｇｉｔａｌ　Ａｓｓｉｓｔａｎｔ）等の移動体通信端末を上記通信端末として適用してもよい。
【００２０】
次に、電子施解錠装置３の構成及び機能について説明する。
【００２１】
図２は、電子施解錠装置３の機能ブロック例を示す図である。図３は、電子施解錠装置３が扉１０の開口部分に取り付けられている（本実施形態においては、建物側に取り付けられている）ときの状態を示す図であり、図３（Ａ）は、扉１０が施錠されているときの状態を、図３（Ｂ）は、扉１０が解錠されているときの状態を、それぞれ示している。なお、図３に示された電子施解錠装置３の寸法は、例えば、縦：２２〜２３ｃｍ、横：４〜５ｃｍ、高さ：２〜３ｃｍである。
【００２２】
図２に示すように、電子施解錠装置３は、電話回線４を介して公衆電話機１及び携帯電話機２から送信された電気信号を受信し当該電気信号に含まれるコードを抽出する通信部３１と、扉の施解錠を行う施解錠部３２と、施解錠部３２の施解錠動作を制御する制御部３３と、認証コードとしての暗証番号（例えば、４桁に数字）、施錠動作設定時間及び解錠動作設定時間等を含む各種情報を記憶する不揮発性メモリ（例えば、ＥＥＰＲＯＭ（Ｅｌｅｃｔｒｉｃａｌｌｙ　Ｅｒａｓａｂｌｅ　ＰｒｏｇｒａｍｍａｂｌｅＲｅａｄ　Ｏｎｌｙ　Ｍｅｍｏｒｙ）等の記憶部３４と、扉の開放を感知する開放感知部３５と、施解錠部３２の施錠動作の異常を感知する異常感知部３６と、暗証番号、施錠動作設定時間及び解錠動作設定時間を設定する設定部３７と、を備えて構成されている。なお、電子施解錠装置３には、その他にも、制御部３３により制御される発光ダイオードや、ブザー等を備えている。
【００２３】
また、これらの各構成要素には、外部ＡＣ電源３９、例えば、建物に供給されているＡＣ電源から、コンセント及びＡＣアダプターを介して電力供給がなされるようになっている。
【００２４】
また、電子施解錠装置３は、外部ＡＣ電源３９からの電気を充電する充電器３８を備えており、当該充電器３８は、例えば、停電、電気配線の断線等により、外部ＡＣ電源３９からの電力供給が不能になった場合に、これらの構成要素に対して電力供給を行うようになっている。
【００２５】
また、電子施解錠装置３には固有の電話番号が割当られており、ユーザは、公衆電話機１及び携帯電話機２から電子施解錠装置３に電話を掛けることができる。
【００２６】
通信部３１は、例えば、ＩＣ等を主体として構成され、その入力端子が電話回線４に接続されている。ユーザが公衆電話機１若しくは携帯電話機２から電子施解錠装置３に電話を掛け通信が確立された後、公衆電話機１若しくは携帯電話機２においてユーザにより入力されたコードとしての暗証番号は、電気信号、例えば、ＤＴＭＦ（Ｄｕａｌ　Ｔｏｎｅ　Ｍｕｌｔｉ　Ｆｒｅｑｕｅｎｃｙ）信号に含まれて電子施解錠装置３に送信されるが、通信部３１は、ＤＴＭＦ信号に含まれる暗証番号を抽出し、制御部３３に出力するようになっている。
【００２７】
施解錠部３２は、制御部３３の制御に基づき回転軸が回転（正回転若しくは、逆回転）駆動する回転モータ（図示せず）と、当該回転モータの回転駆動力を作動レバーに伝達するためのギア（図示せず）と、当該回転駆動力によって回動する作動レバー（図示せず）と、当該作動レバーの回動に従って摺動するシリンダ３２１と、を含んで構成されている。扉１０が施錠されているときの状態においては、図３（Ａ）に示すように、シリンダ３２１が電子施解錠装置３から突出され、扉１０に固定設置されたシリンダ受け皿１０１に嵌合されている。これにより、扉１０の開放が阻止されるようになっている。一方、扉１０が解錠されているときの状態においては、図３（Ｂ）に示すように、シリンダ３２１が電子施解錠装置３内に収納されている。なお、本実施形態においては、図示のように、シリンダ３２１は、２本の円柱型の金属により構成されている。
【００２８】
このように、シリンダ３２１は、回転モータの回転駆動によって図中矢印Ａ及びＢ方向に摺動されるようになっており、例えば、回転モータが正回転駆動した場合には、シリンダ３２１が電子施解錠装置３から突出される方向（図中Ａ方向）に摺動されるようになっており、回転モータが逆回転駆動した場合には、シリンダ３２１が電子施解錠装置３内に収納される方向（Ｂ方向）に摺動されるようになっている。また、この場合、回転モータは、制御部３３からの施錠動作信号に従い正回転駆動され、制御部３３からの解錠動作信号に従い逆回転駆動されることになる。
【００２９】
制御部３３は、例えば、論理回路、比較回路、タイマ等から構成されており、本発明の解錠出力手段として機能し、通信部３１により抽出された暗証番号と、記憶部３４に記憶された暗証番号とが一致しているか否かを判別し、当該暗証番号が一致していると判別した場合には、施解錠部３２に対し解錠動作信号を出力するようになっている。
【００３０】
また、制御部３３は、本発明の施錠出力手段として機能し、上記解錠動作信号の出力から、タイマ動作による施錠動作設定時間（例えば、１０秒）経過後に、施解錠部３２に対し施錠動作信号を出力するようになっている。
【００３１】
さらに、上記解錠動作信号の出力から上記施錠動作信号の出力までの間（扉１０の解錠から施錠までの約１０秒間）に、開放感知部３５により扉１０の開放が感知されない場合には、制御部３３は、施錠動作信号の出力からタイマ動作による解錠動作設定時間（例えば、１５分）経過後に、施解錠部３２に対し解錠動作信号を出力するようになっている。一方、開放感知部３５により扉１０の開放が感知された場合には、当該タイマ動作が解除され、解錠動作設定時間経過後の解錠動作信号出力は行われないようになっている。
【００３２】
なお、制御部３３を、ＣＰＵを主体としてＲＡＭ，ＲＯＭ等を含んで構成し、ＣＰＵが上記機能を、ＲＯＭに記憶されたプログラムを実行することにより、行うように構成してもよい。
【００３３】
さらに、異常感知部３６により施解錠部３２の施錠動作の異常が感知された場合には、制御部３３は、上記施錠動作信号を所定間隔（例えば、２秒間隔）で所定回数（例えば、３回）出力することによりリトライを行うようになっている。
【００３４】
開放感知部３５は、扉１０が解錠されているときの状態において、ユーザが扉１０を開放すると、当該開放感知部３５がそれを感知し、制御部３３に信号を出力するようになっている。例えば、開放感知部３５が、磁気センサーを備えるとともに、シリンダ受け皿１０１が磁石を備えるようにし、扉１０が閉まっているときは磁気センサーがその磁石の磁気を感知できるように設定し、扉１０が開放されたときに磁気センサーがその磁石の磁気を感知できないように設定するように構成する。そして、磁気センサーが磁石の磁気を感知できないとき、開放感知部３５が、制御部３３に扉１０の開放の感知を示す信号を出力するように構成する（感知した時に信号を出力するようにしてもよい）。
【００３５】
異常感知部３６は、上記シリンダ３２１がシリンダ受け皿１０１に良好に嵌合されない場合（例えば、扉１０の自重によって扉１０の位置がずれてきたり、扉１０下部や蝶番部にゴミ等が挟まって扉１０が完全に閉まらなかったりした場合）に、施解錠部３２の施錠動作の異常を感知し、制御部３３に出力するようになっている。例えば、異常感知部３６が、シリンダ３２１がシリンダ受け皿１０１に嵌合されている状態（図３（Ａ））において動作する機械スイッチと、シリンダ３２１が電子施解錠装置３内に収納されている状態（図３（Ｂ））において動作する機械スイッチと、それらの機械スイッチからの動作信号を受ける論理回路と、を備えるように構成し、双方の機械スイッチが所定時間（例えば、２秒間）動作しない場合に、異常として感知し制御部３３に出力する。
【００３６】
設定部３７は、上記暗証番号、施錠動作設定時間及び解錠動作設定時間の何れか１つの設定要素を選択する設定スイッチと、暗証番号、施錠動作設定時間及び解錠動作設定時間を設定する設定ボタン及びカウンタと、を含んで構成されており、上記暗証番号、施錠動作設定時間及び解錠動作設定時間を設定することができるようになっている。
【００３７】
例えば、解錠動作設定時間の場合、ユーザが設定スイッチにより解錠動作設定時間の設定要素を選択する。そしてユーザが設定ボタンを押下することにより、設定カウンタがその押下をカウント、そのカウント数に応じた解錠動作設定時間が記憶部３４に記憶されることになる。例えば、１カウントの場合５分、２カウントの場合１０分、３カウントの場合１５分、４カウントの場合２０分、５カウントの場合・・・というように記憶される。
【００３８】
施錠動作設定時間の場合も、ユーザが設定スイッチにより施錠動作設定時間の設定要素を選択し、設定ボタンの押下によりカウント数に応じた施錠動作設定時間が記憶部３４に記憶されることになる。例えば、１カウントの場合１０秒、２カウントの場合１５秒、３カウントの場合２０秒、４カウントの場合２５秒、５カウントの場合・・・というように記憶される。
【００３９】
なお、ここでは、設定可能な時間間隔が５分毎になるように設定したが、これより短く設定することもできるし、長く設定できるようにすることもできる。
【００４０】
暗証番号の場合、ユーザが、設定スイッチにより暗証番号の設定要素を選択した後、例えば、携帯電話機２等から電子施解錠装置３に電話を掛け、携帯電話機２の操作ボタンを操作することにより、ユーザが設定したい暗証番号を入力する。入力された暗証番号は、電話回線４を介して電子施解錠装置３に送られる。そして、送られた暗証番号は、設定部３７により記憶部３４に記憶されることになる。
【００４１】
次に、施解錠システムＳにおける動作の一実施例について、電子施解錠装置３を主体として説明する。図４は、電子施解錠装置３の制御部３３の処理の流れを示すフローチャートである。
【００４２】
なお、以下の実施例においては、電子施解錠装置３は、ユーザの自宅の入口の扉に設置された錠前（鍵を差し込んで施解錠するもの）を補助するセカンドキーとして、その扉の開口部分に取り付けられているものとする。なお、電子施解錠装置３と錠前とは独立したものである。
【００４３】
また、上記暗証番号、施錠動作設定時間及び解錠動作設定時間は、設定部３７により既に設定されているものとする。
【００４４】
（実施例１）
実施例１では、携帯電話機２が使用され、扉１０の解錠が行われる場合について説明する。
【００４５】
先ず、帰宅したユーザは、扉１０の錠前を従来通り鍵にて解錠する。そして、ユーザが自己の携帯電話機２から電子施解錠装置３の電話番号に基づき電話を掛けると、携帯電話機２と電子施解錠装置３との通信が確立する。なお、携帯電話機２から電子施解錠装置３に電話を掛けた後に、扉１０の錠前を従来通り鍵にて解錠してもよい。
【００４６】
次に、ユーザが、扉１０の前で携帯電話機２の操作ボタンを操作して暗証番号を入力すると、その暗証番号が、電気信号、例えば、ＤＴＭＦ信号に含まれて電気回線４を介して電子施解錠装置３に送信される。電子施解錠装置３の通信部３１は、送信されたＤＴＭＦ信号を受信し、暗証番号を抽出して制御部３３に出力する。
【００４７】
次に、電子施解錠装置３の制御部３３は、図４に示すように、通信部３１により抽出された暗証番号と、記憶部３４に記憶された暗証番号とが一致しているか否かを判別する（ステップＳ１）。当該暗証番号が一致していないと判別された場合には、扉１０の解錠は行われない。この場合、ユーザが携帯電話機２から暗証番号を再入力できるようにしてもよい。
【００４８】
一方、当該暗証番号が一致していると判別した場合には（ステップＳ１：Ｙ）、制御部３３は、施解錠部３２に対し解錠動作信号を出力する（ステップＳ２）。これにより、施解錠部３２では、上述したように、回転モータが回転駆動し、図３（Ｂ）に示すように、シリンダ３２１が電子施解錠装置３内に収納される方向（Ｂ方向）に摺動されることにより、扉１０の解錠が行われることになる。こうして、ユーザは、扉１０を開けて中に入ることができる。
【００４９】
また、解錠動作信号の出力により記憶部３４に記憶された施錠動作設定時間（例えば、１０秒）がタイマにセットされ、タイマ動作が行われる。
【００５０】
次に、制御部３３は、施錠動作設定時間が経過するまでの間に、開放感知部３５から扉１０の開放の感知を示す信号の入力があるか否かを判別し（ステップＳ４）、当該信号の入力があった場合には（ステップＳ４：Ｙ）、解錠動作設定時間のタイマ動作を解除設定する（ステップＳ５）。つまり、上記のように、ユーザが、解錠された扉１０を開けた場合には、解錠動作設定時間のタイマ動作は解除されることになる。
【００５１】
こうして、施錠動作設定時間が経過した場合には（ステップＳ３：Ｙ）、制御部３３は、施解錠部３２に対し施錠動作信号を出力する（ステップＳ６）。これにより、施解錠部３２では、上述したように、回転モータが回転駆動し、図３（Ａ）に示すように、シリンダ３２１が電子施解錠装置３から突出される方向（図中Ａ方向）に摺動されることにより、扉１０の施錠（自動ロック）が行われることになる。
【００５２】
次に、制御部３３は、解錠動作設定時間のタイマ動作が解除されているか否か判別する（ステップＳ７）。解錠動作設定時間のタイマ動作が解除されている場合、つまり、ステップＳ６で、解錠動作設定時間のタイマ動作の解除設定がされた場合、制御部３３は、当該処理を終了する。なお、解錠動作設定時間のタイマ動作が解除されていない場合については、実施例２で説明する。
【００５３】
（実施例２）
実施例２では、公衆電話機１が使用され、扉１０の解錠が行われる場合について説明する。ここでは、携帯電話機２の電源が切れてしまったり、ユーザが携帯電話機２を会社に忘れてしまったりすること等により、携帯電話機２を使用できない場合を想定する。
【００５４】
先ず、ユーザは、例えば、自宅から徒歩１５分の場所に設置された公衆電話機１から電子施解錠装置３の電話番号に基づき電話を掛けると、公衆電話機１と電子施解錠装置３との通信が確立する。
【００５５】
次に、ユーザが、公衆電話機１の操作ボタンを操作して暗証番号を入力すると、その暗証番号が、電気信号、例えば、ＤＴＭＦ信号に含まれて電気回線４を介して電子施解錠装置３に送信される。そして、ユーザは、その公衆電話機１を離れ、自宅に向うことになる。
【００５６】
電子施解錠装置３の通信部３１は、送信されたＤＴＭＦ信号を受信し、暗証番号を抽出して制御部３３に出力すると、実施例１と同様、図４に示すように、制御部３３は、通信部３１により抽出された暗証番号と、記憶部３４に記憶された暗証番号とが一致しているか否かを判別し（ステップＳ１）、当該暗証番号が一致している場合には（ステップＳ１：Ｙ）、施解錠部３２に対し解錠動作信号を出力する（ステップＳ２）。これにより、実施例１と同様、扉１０の解錠が行われることになる。
【００５７】
また、解錠動作信号の出力により記憶部３４に記憶された施錠動作設定時間（例えば、１０秒）がタイマにセットされ、タイマ動作が行われる。
【００５８】
次に、実施例１と同様、制御部３３は、施錠動作設定時間が経過するまでの間に、開放感知部３５から扉１０の開放の感知を示す信号の入力があるか否かを判別する（ステップＳ４）。実施例２の場合、この時、ユーザは、自宅に向う途中であるので、扉１０は開かれず、よって、解錠動作設定時間のタイマ動作は、解除されないことになる。
【００５９】
こうして、実施例１と同様、施錠動作設定時間が経過した場合には（ステップＳ３：Ｙ）、制御部３３は、施解錠部３２に対し施錠動作信号を出力する（ステップＳ６）。これにより、実施例１と同様、扉１０の施錠（自動ロック）が行われることになる。
【００６０】
次に、制御部３３は、解錠動作設定時間のタイマ動作が解除されているか否か判別する（ステップＳ７）。解錠動作設定時間のタイマ動作が解除されていない場合、施錠動作信号の出力により記憶部３４に記憶された解錠動作設定時間（例えば、１５分）がタイマにセットされ、タイマ動作が行われる。
【００６１】
次に、解錠動作設定時間が経過した場合には（ステップＳ８：Ｙ）、制御部３３は、施解錠部３２に対し解錠動作信号を出力する（ステップＳ９）。これにより、扉１０の解錠が行われることになる。そして、丁度この時、ユーザが帰宅することになり、ユーザは、扉１０の錠前を鍵にて解錠するだけで中に入ることなる。
【００６２】
また、その解錠動作信号の出力により記憶部３４に記憶された施錠動作設定時間（例えば、１０秒）が再びタイマにセットされ、タイマ動作が行われる。こうして、施錠動作設定時間が経過した場合には（ステップＳ１０：Ｙ）、制御部３３は、施解錠部３２に対し施錠動作信号を出力する（ステップＳ１１）。これにより、扉１０の施錠（自動ロック）が行われることになる。
【００６３】
以上説明したように、上記実施形態によれば、ユーザが扉１０の前で携帯電話機２を操作して暗証番号を入力した場合は直ぐに扉１０の解錠が行われ、また、携帯電話機２の電源が切れてしまったり、ユーザが携帯電話機２を会社に忘れてしまった場合等にも、ユーザは、公衆電話機１から電子施解錠装置３に電話をかけて暗証番号を入力すれば、丁度、ユーザが帰宅した際に扉１０の解錠が行われるようにすることができる。
【００６４】
従って、ユーザが扉１０の前で携帯電話機２から暗証番号を入力する場合と、ユーザが自宅から数分離れた公衆電話機１から暗証番号を入力する場合のそれぞれの状況にあった、より効果的な扉１０の施解錠を行うことができる。
【００６５】
なお、図４のステップＳ６若しくはステップＳ９において、異常感知部３６により施解錠部３２の施錠動作の異常が感知された場合には、制御部３３は、上記施錠動作信号を所定間隔（例えば、２秒間隔）で所定回数（例えば、３回）出力することによりリトライを行う。これにより、扉１０の施錠動作の一過性の異常があった場合にも、確実に扉１０の施錠（自動ロック）を行うことができるので、信頼性を向上させることができる。
【００６６】
なお、上記実施形態においては、解錠動作設定時間の設定を電子施解錠装置３に備えられた設定部３７における設定ボタン等で行うようにしたが、例えば、公衆電話機１から当該時間を入力し設定できるように構成してもよい。例えば、携帯電話機２の電源が切れてしまったり、ユーザが携帯電話機２を会社に忘れてしまった場合等に、ある公衆電話機１から自宅までにかかる時間を計算して、その公衆電話機１から電子施解錠装置３に電話をかけて解錠動作設定時間の設定を行うことにより、さらに、電子施解錠装置３の利便性を向上させることができる。
【００６７】
【発明の効果】
以上説明したように、本発明によれば、携帯電話機の電源が切れてしまったり、ユーザが携帯電話機を会社に忘れてしまった場合等にも、ユーザは、公衆電話機等から電子施解錠装置に電話をかけて認証コードを入力すれば、丁度、ユーザが帰宅した際に扉の解錠が行われるようにすることができる。
【図面の簡単な説明】
【図１】施解錠システムＳの概要構成例を示す図である。
【図２】電子施解錠装置３の機能ブロック例を示す図である。
【図３】電子施解錠装置３が扉１０の開口部分に取り付けられているときの状態を示す図である。
【図４】電子施解錠装置３の制御部３３の処理の流れを示すフローチャートである。
【符号の説明】
１　公衆電話機
２　携帯電話機
３　電子施解錠装置
４　電話回線
３１　通信部
３２　施解錠部
３３　制御部
３４　記憶部
３５　開放感知部
３６　異常感知部
３７　設定部
３８　充電器
３９　外部ＡＣ電源
Ｓ　施解錠システム
【図１】
2004137762.tif 000003
【図２】
2004137762.tif 000004
【図３】
2004137762.tif 000005
【図４】
2004137762.tif 000006